(57)【要約】【課題】軒天板の厚み方向のばらつきや、異なる厚みの複数種の軒天板に対応でき、軒天板の厚み方向のガタツキを十分に防止できる軒天構造及び支持部材を提供する。【解決手段】軒天構造は、軒天板１７の軒先側と軒元側をそれぞれ支持する軒先側支持部材３及び軒元側支持部材２を備えている。前記軒先側支持部材３は、前記軒天板１７をその厚さ方向に押し上げるようにスライドできるスライド部材２１と、前記スライド部材２１をスライド可能に保持する一方で前記押し上げの方向と反対の方向への戻りを制限する保持制限部材３２とを備える。【選択図】図１
2019120110.tif 000002
【特許請求の範囲】
【請求項１】
軒天板の軒先側と軒元側をそれぞれ支持する支持部材を備えており、
前記軒先側の支持部材と前記軒元側の支持部材の少なくとも一方は、前記軒天板をその厚さ方向に押し上げるようにスライドできるスライド部材と、前記スライド部材をスライド可能に保持する一方で前記押し上げの方向と反対の方向への戻りを制限する保持制限部材とを備えることを特徴とする軒天構造。
【請求項２】
請求項１に記載の軒天構造において、前記軒先側の支持部材のスライド部材に、前記軒天板を軒元側に押圧する押圧手段を備えていることを特徴とする軒天構造。
【請求項３】
請求項２に記載の軒天構造において、前記押圧手段は、前記スライド部材の縦板部と、前記縦板部に形成された横向きの雌螺子部と、前記雌螺子部に螺合される螺子とからなることを特徴とする軒天構造。
【請求項４】
請求項１に記載の軒天構造において、前記軒先側の支持部材のスライド部材または前記軒元側の支持部材のスライド部材の少なくとも一方に付勢部を備え、前記軒天板を軒元側または軒先側に付勢することを特徴とする軒天構造。
【請求項５】
請求項１〜請求項４のいずれか１項に記載の軒天構造において、前記軒天板を押し上げた状態の前記スライド部材が固定されるようにしたことを特徴とする軒天構造。
【請求項６】
請求項１〜請求項５のいずれか１項に記載の軒天構造において、前記支持部材は桁行方向に間隔をおいて複数配置されており、これら支持部材が見切によって覆われており、前記見切に設けた通気孔を通して軒天裏と屋外とが連通することを特徴とする軒天構造。
【請求項７】
請求項６に記載の軒天構造において、前記見切には、前記通気孔を通して浸入した水を下方に落とす水返しが形成されていることを特徴とする軒天構造。
【請求項８】
請求項６または請求項７に記載の軒天構造において、前記見切の内側には、火災時の熱で膨張する熱膨張防火材が、膨張時に前記通気孔を遮蔽するように配置されていることを特徴とする軒天構造。
【請求項９】
請求項１〜請求項８のいずれか１項に記載の軒天構造において、前記保持制限部材に設けられた取付補強部が建物下地に固定されていることを特徴とする軒天構造。
【請求項１０】
軒天板を支持する支持部材であって、前記軒天板をその厚さ方向に押し上げるようにスライドできるスライド部材と、前記スライド部材をスライド可能に保持する一方で前記押し上げの方向と反対の方向への戻りを制限する保持制限部材とを備えることを特徴とする支持部材。
【請求項１１】
請求項１０に記載の支持部材において、軒先側で用いられる支持部材であって、そのスライド部材が前記軒天板を軒元側に押圧する押圧手段を備えていることを特徴とする支持部材。
【請求項１２】
請求項１１に記載の支持部材において、前記押圧手段は、前記スライド部材の縦板部と、前記縦板部に形成された横向きの雌螺子部と、前記雌螺子部に螺合される螺子とからなることを特徴とする支持部材。
【請求項１３】
請求項１０に記載の支持部材において、前記スライド部材に、前記軒天板を軒元側または軒先側に付勢する付勢部を備えていることを特徴とする支持部材。
【請求項１４】
請求項１０〜請求項１３のいずれか１項に記載の支持部材において、前記軒天板を押し上げた状態の前記スライド部材が固定されるようにしたことを特徴とする支持部材。
【発明の詳細な説明】
【技術分野】
【０００１】
この発明は、建物の軒天構造及びこの構造における軒天板の軒先側や軒元側を支持する支持部材に関する。
【背景技術】
【０００２】
軒天井板の納まりにおいては、軒天板の表面から釘・螺子によって軒天板を建物側に固定するのが一般的である。その場合、釘・螺子部の補修が必要となり、その箇所が目立つという不具合があった。また、一部金物を使用しても軒天板の表面から釘・螺子を一切使用しないのは困難であった。
【０００３】
特許文献１には、ブラケットの換気見切材に対する固定構造として、ブラケットを換気見切材に対して、常態ではスライド不能であり、やや強い力の付与によってスライド可能に挿着する構造が開示されている。
【先行技術文献】
【特許文献】
【０００４】
【特許文献１】特開２００１−３２４７７号（特許第４２６３８１１号）
【発明の概要】
【発明が解決しようとする課題】
【０００５】
しかしながら、前記従来の構造では、軒天板の厚み方向のばらつきや、異なる厚みの複数種の軒天板に対応できない。このため、軒天板の厚み方向のガタツキを十分に防止できるものではなく、防火、防水、耐風圧の面で好ましくなかった。
【０００６】
そこで、この発明は、軒天板の厚み方向のばらつきや、異なる厚みの複数種の軒天板に対応でき、軒天板の厚み方向のガタツキを的確に防止できる軒天構造及び支持部材を提供することを課題とするものである。
【課題を解決するための手段】
【０００７】
前記の課題を解決するこの発明の軒天構造は、軒天板の軒先側と軒元側をそれぞれ支持する支持部材を備えており、前記軒先側の支持部材と前記軒元側の支持部材の少なくとも一方は、前記軒天板をその厚さ方向に押し上げるようにスライドできるスライド部材と、前記スライド部材をスライド可能に保持する一方で前記押し上げの方向と反対の方向への戻りを制限する保持制限部材とを備えることを特徴とする。
【０００８】
この構成であれば、前記軒天板をその厚さ方向に押し上げることができ、また、前記押し上げの方向と反対の方向への戻りが制限されるので、軒天板の厚み方向の支持隙間の発生を防止できるようになり、軒天板の厚み方向のガタツキを防止できる。
【０００９】
前記軒先側の支持部材のスライド部材に、前記軒天板を軒元側に押圧する押圧手段を備えていてもよい。この構成であれば、軒天板の軒元支持側から軒先支持側間の方向における支持隙間の発生も防止して当該方向における軒天板のガタツキを防止できるようになる。
【００１０】
前記押圧手段は、前記スライド部材の縦板部と、前記縦板部に形成された横向きの雌螺子部と、前記雌螺子部に螺合される螺子とからなっていてもよい。この構成であれば、螺子を回すという簡単な作業で軒天板を軒元側に押圧することができる。
【００１１】
前記軒先側の支持部材のスライド部材または前記軒元側の支持部材のスライド部材の少なくとも一方に付勢部を備え、前記軒天板を軒元側または軒先側に付勢することとしてもよい。この構成であれば、軒天板に経年変化による軒元支持側から軒先支持側間の方向の痩せが生じたとしても、この痩せに前記付勢部が追従して軒天板を押すので、当該方向の経年によるガタツキを防止することができる。
【００１２】
前記軒天板を押し上げた状態の前記スライド部材が固定されてもよい。この構成であれば、前記スライド部材の戻り防止が確実に行われる。
【００１３】
前記支持部材は桁行方向に間隔をおいて複数配置されており、これら支持部材が見切によって覆われており、前記見切に設けた通気孔を通して軒天裏と屋外とが連通するようにしてもよい。この構成であれば、軒天裏の換気が行えるようになる。
【００１４】
前記見切には、前記通気孔を通して浸入した水を下方に落とす水返しが形成されていてもよい。この構成であれば、軒天裏への雨水の浸入を抑制できる。
【００１５】
前記見切の内側には、火災時の熱で膨張する熱膨張防火材が、膨張時に前記通気孔を遮蔽するように配置されていてもよい。この構成であれば、火災時において炎が前記通気孔から軒天裏に入り込むのを抑制できる。
【００１６】
前記保持制限部材に設けられた取付補強部が建物下地に固定されていてもよい。この構成であれば、前記保持制限部材の固定強度を高めることができる。
【００１７】
また、この発明の支持部材は、軒天板を支持する支持部材であって、前記軒天板をその厚さ方向に押し上げるようにスライドできるスライド部材と、前記スライド部材をスライド可能に保持する一方で前記押し上げの方向と反対の方向への戻りを制限する保持制限部材とを備えることを特徴とする。
【００１８】
この構成であれば、前記軒天板をその厚さ方向に押し上げることができ、また、前記押し上げの方向と反対の方向への戻りが制限されるので、軒天板の厚み方向の支持隙間の発生を防止できるようになり、軒天板の厚み方向のガタツキを防止できる。
【００１９】
軒先側で用いられる支持部材であって、そのスライド部材が前記軒天板を軒元側に押圧する押圧手段を備えていてもよい。また、前記押圧手段は、前記スライド部材の縦板部と、前記縦板部に形成された横向きの雌螺子部と、前記雌螺子部に螺合される螺子とからなっていてもよい。また、前記スライド部材に、前記軒天板を軒元側または軒先側に付勢する付勢部を備えてもよい。また、前記軒天板を押し上げた状態の前記スライド部材が固定されるようにしてもよい。
【発明の効果】
【００２０】
以上のように、この発明であれば、前記軒天板をその厚さ方向に押し上げることができ、また、前記押し上げ方向と反対の方向への戻りが制限されるので、軒天板の厚み方向の支持隙間の発生を防止できるようになり、軒天板の厚み方向のガタツキを防止できるという効果を奏する。
【図面の簡単な説明】
【００２１】
【図１】本発明の実施形態にかかる軒天構造の側面視による説明図である。
【図２】図１の軒天構造で用いられている軒元側見切の側面視を示した説明図である。
【図３】図１の軒天構造で用いられている軒元側支持部材の平面視と正面視と側面視を示した説明図である。
【図４】図１の軒天構造で用いられている軒先側支持部材の平面視と正面視と側面視を示した説明図である。
【図５】図１の軒天構造で用いられている軒先側支持部材のスライド部材と保持制限部材の立体図である。
【図６】図４の（ｃ）の一部を拡大して示した説明図である。
【図７】図４の軒先側支持部材におけるスライド部材の平面視と正面視と側面視を示した説明図である。
【図８】図４の軒先側支持部材における保持制限部材の平面視と正面視と側面視を示した説明図である。
【図９】同図（ａ）は図１の軒天構造で用いられている軒先側見切の側面視を示した説明図であり、同図（ｂ）は軒先側見切の通気孔を示した説明図であり、同図（ｃ）は軒先側見切の変形例を示した説明図である。
【図１０】本発明の他の実施形態にかかる軒天構造の軒先側の側面視を示した説明図である。
【図１１】図１０の軒天構造で用いられるスライド部材の平面視と正面視と側面視を示した説明図である。
【図１２】図１０の軒先側支持部材における軒先側支持部材の平面視と正面視と背面視と側面視を示した説明図である。
【図１３】図１１の変形例となるスライド部材の平面視と正面視と側面視を示した説明図である。
【図１４】本発明の他の実施形態にかかる軒天板を斜めに配置した軒天構造の軒元側の側面視を示した説明図である。
【図１５】図１４の構成で用いられる軒元側の支持部材の平面視と正面視と側面視を示した説明図である。
【図１６】本発明の他の実施形態にかかる軒天構造の軒元側の側面視を示した説明図である。
【図１７】本発明の他の実施形態にかかる軒先側支持部材のスライド部材と保持制限部材の立体図である。
【図１８】図１１の他の変形例となるスライド部材の平面視と正面視と側面視を示した説明図である。
【発明を実施するための形態】
【００２２】
以下、この発明の実施形態を添付図面に基づき具体的に説明する。図１に示すように、この実施形態の軒天構造においては、軒元側見切１及び軒元側支持部材（金物）２が、軒元側軒天野縁５の下面から上向きに打ち込まれた釘（螺子でもよい）４によって、当該軒元側軒天野縁５に固定されている。前記軒元側軒天野縁５は、水平に打ち込まれた図示しない釘等によって、外壁材及び外壁下地に固定されている。
【００２３】
前記軒元側見切１は、桁行方向に長い長尺部材（例えば３０００ｍｍ程度）とされるのに対し、前記軒元側支持部材２は桁行方向に間隔（例えば４５５ｍｍ間隔）を置いて配置される短尺部材とされる。前記釘４は、前記軒元側支持部材２及び前記軒元側見切１の上側部を貫通して前記軒元側軒天野縁５の下面に打ち込まれている。前記軒元側支持部材２は前記軒元側見切１ごと前記軒元側軒天野縁５に釘固定されている。
【００２４】
前記軒元側見切１は、図２にも示すように、上側部と、下側部と、これらを繋ぐ立上部とを備えて断面略コ字形状を有している。また、図３に示すように、前記軒元側支持部材２も同様に、上側部２１と、下側部２２と、これらを繋ぐ立上部２３とを備えて断面略コ字形状を有している。
【００２５】
前記軒元側見切１は、前記軒元側支持部材２の外面を覆うことができるように、当該軒元側支持部材２よりも一回り大きくされている。この軒元側見切１の上側部は、前記軒元側軒天野縁５の下面に当接しており、前記立上部は外壁材あるいは外壁下地の表面に当接している。
【００２６】
また、前記軒元側支持部材２の上側部２１は、例えば水平配置される軒天板１７の軒元側の上側に位置しており、下側部２２は前記軒天板１７の軒元側の下側に位置しており、立上部２３には前記軒天板１７の屋内側の端面が突き当てられる。
【００２７】
そして、前記軒元側見切１の上側部の屋外側端は、下側に折り返されており、この折り返された部分は、前記軒元側支持部材２の上側部２１の屋外側端に係止される。同様に、前記軒元側見切１の下側部の屋外側端は、上側に折り返されており、この折り返された部分は、前記軒元側支持部材２の下側部２２の屋外側端に係止される。
【００２８】
また、前記軒元側支持部材２における下側部２２の屋外側端の両縁部には、一部が切り込まれて略中央部が上側に突出するように屈曲された山状突出部（付勢部）２ａが形成されている。前記山状突出部２ａの先端裾側は、下側部２２と略面一の高さにあり、差し込まれる前記軒天板１７の下面によって当該山状突出部２ａが徐々に下方に押されていくことになる。そして、この山状突出部２ａは、バネ性を備えており、前記軒天板１７の下面に押されて下方に撓むとともに、当該軒天板１７を前記上側部２１の方向（軒天板１７の厚み方向）に押し上げる。
【００２９】
一方、軒先側では、軒先側支持部材（金物）３が、軒先側の建物下地である鼻隠し下地１２の裏面側から打ち込まれた釘（螺子でもよい）１８によって、前記鼻隠し下地１２に固定されている。また、前記軒先側支持部材３を覆い隠すように軒先側見切１４が取り付けられる。
【００３０】
前記軒先側見切１４は、上側部と、下側部と、これらを繋ぐ斜め立上部とを備えて断面略Ｚ字形状をなしている。前記軒先側見切１４の上側部の屋外側端は、上側に折り返されている。同様に、前記軒先側見切１４の下側部の屋外側端も、上側に折り返されており、この折り返された部分を、前記軒先側支持部材３の下部側を越えたところに位置させている。
【００３１】
また、前記軒先側見切１４は、桁行方向に長い長尺部材（例えば３０００ｍｍ程度）とされるのに対して、前記軒先側支持部材３は、桁行方向に間隔（例えば４５５ｍｍ間隔）を置いて配置される短尺部材とされる。そして、前記軒先側見切１４は、前記鼻隠し下地１２の下面側から上向きに打ち込まれた釘（螺子でもよい）１９によって、前記鼻隠し下地１２の下面に固定されている。前記鼻隠し下地１２の屋外側には軒先側の建物部材である鼻隠し１１が取り付けられる。前記鼻隠し１１は、その下端部が前記軒先側見切１４の下端よりも下方に突出するように設けられている。
【００３２】
前記軒先側支持部材３は、図４及び図５に示すように、前記軒先側支持部材３は、前記軒天板１７をその厚さ方向（例えば鉛直方向）に押し上げるようにスライドできるスライド部材（図４では二点鎖線で示している）３１と、前記スライド部材３１をスライド可能に保持する一方で前記押し上げの方向と反対の方向への戻りを制限する保持制限部材３２とを備える。
【００３３】
前記保持制限部材３２は、一例として、図６に示すように、前記スライド部材３１（太線で示している）に形成された凹凸部３１ａと、前記保持制限部材３２に形成されたバネ性を有する突起部３２ａとによってスライド部材３１における前記戻りを制限する。前記突起部３２ａは、前記保持制限部材３２の一部をプレス加工等で切り起こして例えば４５度未満で斜めに突出するように形成されたものである。この切り起こし部の突出先端は上側に向いている。
【００３４】
また、前記凹凸部３１ａは、例えば、矩形状の溝部によって形成されており、各溝部は対向する上側面と下側面とを有する。前記上側面は、前記スライド部材３１が前記押し上げる方向と反対の方向へ戻ろうとする場合に、前記突起部３２ａの突出先端と接触し、前記スライド部材３１が前記押し上げる方向と反対の方向へ戻るのを阻止する。一方、前記押し上げる方向へ前記スライド部材３１を押すときには、前記突起部３２ａが、当該スライド部材３１の前記下側面の屋外側角箇所によって屋外側方向に撓められ、当該スライド部材３１の移動が許容される。
【００３５】
前記スライド部材３１は、図７にも示すように、上板部３１１と下板部３１２と縦板部３１３とを備える。前記上板部３１１は、前記鼻隠し下地１２の下面側に位置する部分であり、下板部３１２は前記軒天板１７の下側に位置して当該軒天板１７を支持するとともに押し上げる部分であり、縦板部３１３は前記保持制限部材３２によって保持される本体部分である。前記縦板部３１３は、２枚に分割された板部からなる。また、上板部３１１は、前記の２枚に分割された板部にそれぞれ形成されており、前記軒天板１７を押し上げた状態の前記スライド部材３１を前記鼻隠し下地１２に締結部材である釘（螺子でもよい）２０によって固定される部分であり、前記釘２０を挿通させる貫通孔３ｄを有する。なお、図１では、前記上板部３１１は、便宜上、後述する折り曲げ部３２ｄよりも下側に描いているが、前記軒天板１７を押し上げた状態では、前記上板部３１１は前記鼻隠し下地１２の下面に近接するようになっている。
【００３６】
前記保持制限部材３２は、図８にも示すように、例えば、２枚の板部材を重ねて成り、一方の板部材の２箇所に前記突起部３２ａが形成されており、他方の板部材の２箇所に前記突起部３２ａを包むように袋部３２ｆが形成されている。前記袋部３２ｆは、前記スライド部材３１の前記縦板部３１３を挿入できる高さを有する。そして、中央側及び両端側には、２枚の板部材による二重平板部３２ｇが形成されている。
【００３７】
前記中央側の二重平板部３２ｇには、前記釘１８が挿通される挿通孔３２ｃが形成されている。さらに、前記中央側の二重平板部３２ｇには、切込みが入れられて水平に起こされた上側当て部３２ｂが形成されており、この上側当て部３２ｂは前記軒天板１７の上方に位置する。また、前記両端側の二重平板部３２ｇには、折り曲げ部（補強部）３２ｄが形成されており、この折り曲げ部３２ｄには、前記鼻隠し下地１２の下面から上方向に打ち込まれる図示しない釘（螺子でもよい）が挿通される貫通孔が形成されている。さらに、前記袋部３２ｆが形成される箇所の一枚板部分には、前記スライド部材の前記上板部３１１を通すための切込み部３２ｈが形成されている。
【００３８】
前記軒天構造を施工する手順としては、例えば、前記軒元側支持部材２を前記軒元側見切１に装着した状態で、前記軒元側支持部材２を、所定ピッチとなる位置において釘４によって前記軒元側軒天野縁５に固定する（軒元側見切を先付けした後で、軒元側支持部材２を固定する場合もある。）。また、前記軒先側支持部材３における前記保持制限部材３２を、前記挿通孔３２ｃから打ち込まれる前記釘１８及び前記折り曲げ部３２ｄの貫通孔から打ち込まれる釘によって前記鼻隠し下地１２に固定する。そして、前記軒天板１７の軒先側を前記保持制限部材３２の上側当て部３２ｂの下側にあてがって、前記袋部３２ｆに前記スライド部材３１を差し込む。さらに、前記スライド部材３１を上方向にスライドさせ、軒天板１７を押し上げて前記軒天板１７を前記上側当て部３２ｂに押し当てる。また、前記軒天板１７を押し上げた状態の前記スライド部材３１の前記上板部３１１の前記貫通孔３ｄに釘２０を打ち込んで、前記スライド部材３１を前記鼻隠し下地１２に固定する。その後に、前記軒先側見切１４及び前記鼻隠し１１を取り付ける。もちろん、施工手順はこのような順序に限らない。
【００３９】
また、図１の他、図９（ａ）、（ｂ）にも示すように、前記軒先側見切１４の斜め立上部は、例えば、複数のスリット状の通気孔１４ａが形成された通気孔形成部をなしている。前記通気孔１４ａを通して、軒天裏と屋外とが連通することになる。また、前記通気孔形成部は、前記鼻隠し下地１２に対向して位置するとともに、下側ほど前記鼻隠し１１に近づくように傾斜しており、軒下側から雨水が前記通気孔１４ａに入り難くなっている。さらに、前記軒先側見切１４の内側には、火災時の熱で膨張する熱膨張防火材７が、膨張時に前記通気孔１４ａを遮蔽するように配置されている。例えば、前記熱膨張防火材７は、テープ状に形成されており、前記軒先側見切１４の下側部の内面上で且つ前記通気孔１４ａの下方側となる位置において桁行方向に貼られている。
【００４０】
なお、図９（ｃ）に示すように、軒先側見切１４Ａを用いることができる。この軒先側見切１４Ａは、上側部を上側から屋内側方向へと折り返すとともに、この折り返し部の端部を、前記通気孔１４ａからの気流の通過箇所に至らせている。すなわち、前記折り返し部の端部が水返し１４ｂとして機能し、軒天裏への雨水の浸入を抑制できるようになっている。
【００４１】
このような構成の軒天構造であれば、軒先側において、前記軒天板１７をその厚さ方向に押し上げることができ、また、前記押し上げの方向と反対の方向への戻りが制限されるので、軒天板１７の厚み方向の支持隙間の発生を防止できるようになり、軒先側において軒天板１７の厚み方向のガタツキを防止できる。なお、前記スライド部材３１の戻り制限は、図示しない解除治具によって解除することができ、このような解除治具を用いれば、軒天板１７の経年のメンテナンス交換作業も比較的容易に行えるようになる。
【００４２】
前記軒天板１７を押し上げた状態の前記スライド部材３１が建物下地に締結部材である釘２０によって固定される構成であれば、前記スライド部材３１の戻り防止が確実に行われる。なお、前記スライド部材３１の戻り防止固定は、前記上板部３１１に打ち込む前記釘２０によって直接的に行える他、例えば、前記釘１９によって固定される軒先側見切１４（１４Ａ）を用いて前記上板部３１１を前記鼻隠し下地１２の下面に押さえ付けることで行うこともできる。
【００４３】
前記軒先側支持部材３が桁行方向に間隔をおいて複数配置され、これら軒先側支持部材３が軒先側見切１４によって覆われており、前記軒先側見切１４に設けた通気孔１４ａを通して軒天裏と屋外とが連通すると、軒天裏の換気が行えるようになる。
【００４４】
前記軒先側見切１４に前記通気孔１４ａを通して浸入した水を下方に落とす水返し１４ｂが形成されていると、軒天裏への雨水の浸入を抑制できる。
【００４５】
前記軒先側見切１４の内側に熱膨張防火材７が配置されていると、火災時において炎が前記通気孔１４ａから軒天裏に入り込むのを抑制できる。
【００４６】
前記保持制限部材３２に設けられた取付補強部（折り曲げ部３２ｄ）が軒先側の建物下地に固定されていると、前記保持制限部材３２の固定強度を高めることができる。
【００４７】
また、図１０に示すように、保持制限部材３２Ａ及びスライド部材３１Ａを備える軒先側支持部材３Ａを用いることができる。前記軒先側支持部材３Ａと前記軒先側支持部材３との相違点を説明すると、前記スライド部材３１では、図１１に示すように、上板部３１１が前記縦板部３１３の２枚に分割された各板部にそれぞれ形成されていたのに対し、このスライド部材３１Ａでは、前記縦板部３１３の２枚に分割された板部の間の部分を用いて前記縦板部３１３が形成されている。また、前記保持制限部材３２では、図１２に示すように、袋部３２ｆが形成される板部分の中央側の下端箇所を折り曲げて上側当て部３２ｂを形成している。
【００４８】
また、図１３に示すように、前記スライド部材３１Ａは、前記軒天板１７を軒元側に押圧する押圧部（押圧手段）３１７を備えていてもよい。前記押圧部３１７は、例えば、前記スライド部材の縦板部３１３と、前記縦板部３１３においてバーリング加工による横円筒部に形成された横向きの雌螺子部３１３ａと、前記雌螺子部３１３ａに螺合される螺子３１７ａとからなる。この構成であれば、螺子を回すという簡単な作業で軒天板１７を軒元側に押圧することができ、軒天板１７の軒元支持側から軒先支持側間の方向における支持隙間の発生も防止して当該方向における軒天板１７のガタツキを防止できるようになる。なお、前記雌螺子部３１３ａの横円筒部を屋外側ではなく屋内側に突出させると、螺子３１７ａを前記雌螺子部３１３ａに入れる操作が行い易くなる。また、前記押圧部３１７を前記スライド部材３１Ａではなく、前記スライド部材３１に設けることもできる。
【００４９】
また、図１４に示すように、前記軒天板１７を軒先側が低くなる傾斜配置で設けることもできる。この傾斜配置の構成で用いられる軒元側支持部材２Ａは、図１５に示すように、上側部２１の端部が上側に折り曲げられた取り付け部２４を有している。そして、この取り付け部２４に釘４が挿通され、この釘４が斜め上方向に軒元側軒天野縁５に打ち込まれることで、当該軒元側支持部材２Ａが軒元側軒天野縁５に固定されている。また、この傾斜配置の構成で用いられる軒元側見切１Ａも、上側部の端部が上側に折り曲げられて前記取り付け部２４に沿うようになっており、この曲げ部分に釘４が打ち込まれる。なお、軒先側においては、鼻隠し下地１２を軒天勾配と垂直の取り合いとすることができる。また、例えば、上側当て部３２ｂや下板部３１２を、前記軒天板１７の傾斜角度に合わせて、屋内側ほど昇り傾斜するように形成してもよい。この形態において、軒元側支持部材２Ａを軒元側見切１Ａ（先付け）の後で固定する場合もある。
【００５０】
また、例えば、軒先用である前記スライド部材３１及び前記保持制限部材３２の構成を用い、図１６に示すように、軒元側用としてのスライド部材２１０及び保持制限部材２２０を備えた軒元側支持部材２Ｂを設けることもできる。前記保持制限部材２２０は軒元側軒天野縁５に釘４によって固定される。このような構成であれば、軒元側において、前記軒天板１７をその厚さ方向に押し上げることができ、また、前記押し上げの方向と反対の方向への戻りが制限されるので、軒元側において、軒天板１７の厚み方向の支持隙間の発生を防止できるようになり、軒元側において、軒天板１７の厚み方向のガタツキを防止できる。また、このような構成とする軒元側において、前記軒天板１７を押し上げた状態の前記スライド部材２１０が建物下地に締結部材によって固定される構成、軒元側見切１０に通気孔１０ａを設けて軒天裏と屋外とが連通する構成、前記軒元側見切１０に水返しを設ける構成、前記軒元側見切１０の内側に熱膨張防火材７を配置する構成、前記保持制限部材２２０に設けた取付補強部が軒元側軒天野縁５に固定される構成を適用できる。
【００５１】
なお、軒先側と軒元側の両方に軒先側支持部材３（３Ａ）と軒元側支持部材２Ｂを用いる場合の取付手順としては、例えば、それぞれの側で保持制限部材を建物の下地に固定しておく。そして、軒天板１７の軒先端と軒元端にスライド部材を装着し、これらスライド部材を同時的に保持制限部材に差し込んで押し上げて、軒天板１７を固定することが考えられる。
【００５２】
また、例えば、図１７に示すように、軒先側支持部材３は、スライド部材３１Ｂを備えてもよい。このスライド部材３１Ｂの各縦板部３１３の下部側には、前記軒天板１７を軒元側に付勢する山状突出部（付勢部）３１５が形成されている。この山状突出部３１５は、縦板部３１３の一部が切り込まれて略中央部が屋内側に突出するように屈曲されている。なお、上側の傾斜面の傾斜角は緩くされており、当該スライド部材３１Ｂの挿入が円滑に行えるようになっている。前記スライド部材３１Ｂが前記保持制限部材３２に挿入される際に、前記山状突出部３１５が前記軒天板１７の屋外側端面に当たって徐々に下方に押されていく。この山状突出部３１５は、バネ性を備えており、前記軒天板１７の端面に押されて屋外側に撓むとともに、当該軒天板１７を屋外方向に押し込む。これにより、軒天板１７に経年変化による軒元支持側から軒先支持側間の方向の痩せが生じたとしても、この痩せに前記山状突出部（付勢部）３１５が追従して軒天板１７を押すので、当該方向の経年によるガタツキを防止することができる。なお、前記山状突出部（付勢部）３１５とともに、或いは、前記山状突出部（付勢部）３１５に替えて、当該山状突出部（付勢部）３１５と同様の山状突出部（付勢部）を図１６の軒元側支持部材２Ｂのスライド部材２１０に備え、このスライド部材２１０の山状突出部によって、前記軒天板１７を軒先側に付勢するようにしてもよい。
【００５３】
また、前記図１３に示した例の他、例えば、図１８に示すように、前記スライド部材３１Ａは、前記軒天板１７を軒元側に押圧する押圧付勢部（押圧手段、付勢部）３１８を備えていてもよい。前記押圧付勢部３１８は、例えば、前記スライド部材の縦板部３１３と、前記縦板部３１３においてバーリング加工による横円筒部に形成された横向きの雌螺子部３１３ｂと、前記雌螺子部３１３ｂに螺合されるコイルバネ３１８ａとからなる。この構成であれば、コイルバネ３１８ａを回すという簡単な作業で軒天板１７を軒元側に押圧することができ、軒天板１７の軒元支持側から軒先支持側間の方向における支持隙間の発生も防止して当該方向における軒天板１７のガタツキを防止できるようになる。また、前記押圧付勢部３１８はコイルバネ３１８ａによって付勢部としても機能するので、軒天板１７に経年変化による軒元支持側から軒先支持側間の方向の痩せが生じたとしても、この痩せに前記コイルバネ３１８ａが追従して軒天板１７を押すことができ、当該方向の経年によるガタツキを防止することができる。なお、前記押圧付勢部３１８を前記スライド部材３１Ａではなく、前記スライド部材３１に設けることもできる。
【符号の説明】
【００５４】
１        ：軒元側見切
１Ａ      ：軒元側見切
２        ：軒元側支持部材
２Ａ      ：軒元側支持部材
２Ｂ      ：軒元側支持部材
２ａ      ：山状突出部
３        ：軒先側支持部材
３Ａ      ：軒先側支持部材
３ｄ      ：貫通孔
４        ：釘
５        ：軒元側軒天野縁（軒元側の建物下地）
７        ：熱膨張防火材
１０      ：軒元側見切
１０ａ    ：通気孔
１２      ：鼻隠し下地（軒先側の建物下地）
１４      ：軒先側見切
１４Ａ    ：軒先側見切
１４ａ    ：通気孔
１４ｂ    ：水返し
１７      ：軒天板
１８      ：釘
２０      ：釘
２１      ：上側部
２２      ：下側部
２３      ：立上部
２４      ：取り付け部
３１      ：スライド部材
３１Ａ    ：スライド部材
３１Ｂ    ：スライド部材
３１ａ    ：凹凸部
３２      ：保持制限部材
３２Ａ    ：保持制限部材
３２ａ    ：突起部
３２ｂ    ：上側当て部
３２ｃ    ：挿通孔
３２ｄ    ：折り曲げ部
３２ｆ    ：袋部
３２ｇ    ：二重平板部
３２ｈ    ：切込み部
２１０    ：スライド部材
２２０    ：保持制限部材
３１１    ：上板部
３１２    ：下板部
３１３    ：縦板部
３１３ａ  ：雌螺子部
３１３ｂ  ：雌螺子部
３１５    ：山状突出部（付勢部）
３１７    ：押圧部（押圧手段）
３１７ａ  ：螺子
３１８    ：押圧付勢部（押圧手段、付勢部）
３１８ａ  ：コイルバネ
【図１】
2019120110.tif 000003
【図２】
2019120110.tif 000004
【図３】
2019120110.tif 000005
【図４】
2019120110.tif 000006
【図５】
2019120110.tif 000007
【図６】
2019120110.tif 000008
【図７】
2019120110.tif 000009
【図８】
2019120110.tif 000010
【図９】
2019120110.tif 000011
【図１０】
2019120110.tif 000012
【図１１】
2019120110.tif 000013
【図１２】
2019120110.tif 000014
【図１３】
2019120110.tif 000015
【図１４】
2019120110.tif 000016
【図１５】
2019120110.tif 000017
【図１６】
2019120110.tif 000018
【図１７】
2019120110.tif 000019
【図１８】
2019120110.tif 000020